(57)【要約】【課題】施行コストを削減することができ一体感の得られるドア一体型欄間構造を提供する。【解決手段】枠状に設けられた枠体３内の下部にドア８がヒンジ７によって開閉可能となって取り付けられている。ドア８の上の開口内には、欄間パネル２が設けられている。欄間パネル２の下端部には摺動ピン２３が凸設されている。一方、枠体３の内面には、ガイド穴２１が設けられている。摺動ピン２３がガイド穴２１に挿入され、摺動ピン２３がガイド穴２１に対して上下に摺動可能且つ回転可能となっている。また、アーム材２４の一端が回転可能となって枠体３に連結し、アーム材２４の他端が回転可能となって欄間パネル２に連結している。欄間パネル２は、摺動ピン２３を支点として垂直状態と水平状態との間で回転可能となっている。【選択図】図３
2006283465.tif 000002
【特許請求の範囲】
【請求項１】
枠状に設けられた枠体内の下部にドアが開閉可能となって取り付けられ、前記ドアの上において欄間パネルがその下端部を支点として垂直状態と前倒状態との間で回転可能となって前記枠体内の上部に取り付けられていることを特徴とするドア一体型欄間構造。
【請求項２】
前記欄間パネルの下側の縁に弾性材が設けられていることを特徴とする請求項１に記載のドア一体型欄間構造。
【請求項３】
前記支点が前記枠体の内面に対して上下動可能に設けられ、アーム材の一端が回転可能となって前記欄間パネルに連結し、前記アーム材の他端が回転可能となって前記枠体に連結していることを特徴とする請求項１又は２に記載のドア一体型欄間構造。
【請求項４】
前記アーム材は前記欄間パネルの横側面と前記枠体の内面との間に介在していることを特徴とする請求項３に記載のドア一体型欄間構造。
【請求項５】
ガイド穴が前記枠体の内面に設けられ、前記支点としての摺動ピンが前記欄間パネルの横側面に凸設され、前記摺動ピンが前記ガイド穴に挿入され、前記摺動ピンが前記ガイド穴に対して上下に摺動可能且つ回転可能となっていることを特徴とする請求項３又は４に記載のドア一体型欄間構造。
【発明の詳細な説明】
【技術分野】
【０００１】
本発明は、ドアの上に欄間パネルを設けたドア一体型欄間構造に関する。
【背景技術】
【０００２】
建物のドアの上には装飾用の欄間パネルが設けられている。固定されていて開閉しない欄間パネルがあり（例えば、特許文献１参照。）、採光や換気ができないという欠点があるので、欄間パネルを開閉式とすることで（例えば、特許文献２参照。）、採光性や換気性を得ている。
【特許文献１】実開平６−２０８６１号公報
【特許文献２】特開２００１−６５２３６号公報
【発明の開示】
【発明が解決しようとする課題】
【０００３】
ところで、ドアがヒンジによってドア用枠体に取り付けられ、欄間用枠体がドア用枠体の上に取り付けられ、その欄間用枠体に欄間パネルが取り付けられている。欄間用枠体とドア用枠体が別体となっているので、施行コストが高くなる。また、欄間用枠体の下の横棧材とドア用枠体の上の横棧材がドアと欄間パネルとの間に介在してこれらを仕切るので、ドアと欄間パネルの一体感が得られない。
【０００４】
そこで、本発明の課題は、施行コストを削減することができ一体感の得られるドア一体型欄間構造を提供することである。
【課題を解決するための手段】
【０００５】
以上の課題を解決するために、請求項１に係る発明は、枠状に設けられた枠体３内の下部にドア８が開閉可能となって取り付けられ、前記ドア８の上において欄間パネル２がその下端部を支点（例えば、摺動ピン２３）として垂直状態と前倒状態との間で回転可能となって前記枠体３内の上部に取り付けられていることを特徴とする。
【０００６】
請求項１に係る発明によれば、枠体３内にドア８及び欄間パネル２が取り付けられているので、欄間パネル２とドア８との間が横棧材等によって仕切られていない構造とすることができる。そのため、ドア８及び欄間パネル２を開放すると、換気性及び採光性に優れている。更に、欄間パネル２とドア８との間に横棧材等がないので、施行コストを削減することができる。
【０００７】
また、欄間パネル２の下端部を支点として欄間パネル２を回転可能に枠体内の上部に取り付けたため、欄間パネル２を容易に開閉することができる。
【０００８】
請求項２に係る発明は、請求項１に記載のドア一体型欄間構造において、前記欄間パネル２の下側の縁に弾性材９が設けられていることを特徴とする。
【０００９】
請求項２に係る発明によれば、欄間パネル２の下側の縁に弾性材９を設けることで、ドア８及び欄間パネル２を閉じると、欄間パネル２とドア８との間に弾性材９が介在する。そのため、密閉性及び遮光性に優れる。また、弾性材９がドア８の上の接した場合、弾性材９によってドア８を傷つけることもない。
【００１０】
請求項３に係る発明は、請求項１又は２に記載のドア一体型欄間構造において、前記支点（例えば、摺動ピン２３）が前記枠体３の内面に対して上下動可能に設けられ、アーム材２４の一端が回転可能となって前記欄間パネル２に連結し、前記アーム材２４の他端が回転可能となって前記枠体３に連結していることを特徴とする。
【００１１】
請求項３に係る発明によれば、欄間パネル２の下端部の支点が枠体３の内面に対して上下動可能に設けられ、アーム材２４が枠体３と欄間パネル２との間に連結しているので、欄間パネル２が支点とアーム材２４の２点で枠体３に支持された構造となっている。そのため、欄間パネル２を任意の角度で保持することができる。
【００１２】
請求項４に係る発明は、請求項３に記載のドア一体型欄間構造において、前記アーム材２４は前記欄間パネル２の横側面と前記枠体３の内面との間に介在していることを特徴とする。
【００１３】
請求項４に係る発明によれば、アーム材２４が欄間パネル２の横側面と枠体３の内面との間に介在しているから、アーム材２４が殆ど露出せず、美観を損ねない。
【００１４】
請求項５に係る発明は、請求項３又は４に記載のドア一体型欄間構造において、ガイド穴２１が前記枠体３の内面に設けられ、前記支点としての摺動ピン２３が前記欄間パネル２の横側面に凸設され、前記摺動ピン２３が前記ガイド穴２１に挿入され、前記摺動ピン２３が前記ガイド穴２１に対して上下に摺動可能且つ回転可能となっていることを特徴とする。
【００１５】
請求項５に係る発明によれば、欄間パネル２の摺動ピン２３が枠体３のガイド穴２１に挿入され、摺動ピン２３がガイド穴２１に対して上下に摺動可能且つ回転可能となっているので、欄間パネル２が摺動ピン２３とアーム材２４の２点で枠体３に支持された構造となっている。そのため、欄間パネル２を任意の角度で保持することができる。
【発明の効果】
【００１６】
本発明によれば、枠体内にドア及び欄間パネルが取り付けられているので、ドア及び欄間パネルを開放すると換気性及び採光性に優れている。更に、欄間パネルとドアとの間に横棧材等がないので、施行コストを削減することができる。また、欄間パネルの下端部を支点として欄間パネルを回転可能に枠体内の上部に取り付けたため、欄間パネルを容易に開閉することができる。
【発明を実施するための最良の形態】
【００１７】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１８】
図１は、ドア一体型欄間構造１の正面図であり、図２及び図３は、図１の切断線II−IIに沿った面の上側を示した矢視断面図である。図２では、ドア一体型欄間構造１の欄間パネル２が閉じた状態で示されており、図３では、欄間パネル２が開いた状態で示されている。
【００１９】
図１に示すように、建物の開口壁パネル５０には、縦方向に長尺な矩形状の開口５１が設けられている。開口壁パネル５０には、矩形枠状の枠体３が開口５１の縁に沿うように取り付けられている。枠体３は、縦方向に延在した一対の縦棧材４と、これら縦棧材４の上端を架け渡すよう設けられた横棧材５とから門型状に設けられている。枠体３の内面には、枠体３に沿うよう門型状に設けられた戸当り６が凸設されている。
【００２０】
枠体３の一方の縦棧材４には一対のヒンジ７が取り付けられ、ヒンジ７によってドア８が開閉可能となって枠体３内の下部に取り付けられている。ドア８の縦方向の長さは枠体３の内側の縦方向の長さよりも短く、ドア８が閉じた状態でもドア８の上には開口が形成される。ドア８の上の開口には、ドア８と等しい厚さの欄間パネル２が嵌められている。
【００２１】
図２及び図３に示すように、欄間パネル２の下の側面には、ゴム等といった弾性材９が横方向全長にわたって張り付けられている。弾性材９が欄間パネル２とドア８との間において両者に挟まれ、その隙間が弾性材９によって閉塞される。
【００２２】
欄間パネル２はその下端部を支点として開閉可能となっている。以下、欄間パネル２を開閉する機構について説明する。枠体３の内面であって縦棧材４の上部には、板状の支持片２０が螺子によってそれぞれ張り付けられている。支持片２０の下部には、縦方向（上下方向）に長尺なガイド穴２１が形成されている。一方、欄間パネル２の横の側面には、板状の支持片２２が螺子によって張り付けられている。支持片２２の下端部には摺動ピン２３が凸設され、摺動ピン２３がガイド穴２１に挿入されている。摺動ピン２３はガイド穴２１に沿って縦方向に摺動可能となっているとともに、横方向の軸回りに回転可能となっている。
【００２３】
支持片２０の上端部には、アーム材２４の一端部が横方向の軸回りに回転可能となって連結されている。アーム材２４の他端部は摺動ピン２３とは異なる位置において具体的には摺動ピン２３よりも上側において支持片２２に連結されている。アーム材２４の他端部は、支持片２２との連結部において横方向の軸回りに回転可能となっている。このアーム材２４は薄板状に形成され、枠体３の内面と欄間パネル２の横側面との間の隙間に介在している。これら支持片２０、支持片２２及びアーム材２４は金属材料からなる。
【００２４】
図２及び図３では、一方の縦棧材４側に設けられた支持片２０、アーム材２４及び支持片２２が図示されているが、他方の縦棧材４側にも同様に支持片２０、アーム材２４及び支持片２２が設けられている。
【００２５】
図２に示すように、欄間パネル２が起立して閉じた垂直状態では、アーム材２４が欄間パネル２に対してほぼ平行となっており、摺動ピン２３がガイド穴２１の下端側に位置している。欄間パネル２を開けると、アーム材２４が支持片２０との連結部を支点にして前に振り上がるよう回転し、摺動ピン２３がガイド穴２１に沿って上に移動し、欄間パネル２が摺動ピン２３を支点として前倒するよう回転する。そして、欄間パネル２が閉じた状態から９０度だけ回転すると、摺動ピン２３がガイド穴２１の上端に至り、欄間パネル２が前倒した水平状態で止まる。一方、欄間パネル２を閉じると、摺動ピン２３がガイド穴２１に沿って下に移動し、欄間パネル２が摺動ピン２３を支点として起立するよう回転する。ここで、欄間パネル２をアーム材２４と摺動ピン２３の２点で枠体３に支持した構造となっているため、欄間パネル２を水平状態から垂直状態までの任意の角度で保持することができる。
【００２６】
以上のように、欄間パネル２の下端部の摺動ピン２３を支点として欄間パネル２を開閉するような構造としたため、欄間パネル２を容易に開閉することができる。例えば、欄間パネル２に手が届かない場合、開いた欄間パネル２の先端部を棒等によって押し上げるだけで、欄間パネル２を閉じることができる。また、欄間パネル２を開く場合に、欄間パネル２を前に押し出せば、欄間パネル２の自重が作用するので欄間パネルを手軽に開くことができる。
【００２７】
また、ドア８及び欄間パネル２を開放すると、欄間パネル２とドア８との間が横棧材等によって仕切られていないため、換気性及び採光性に優れている。
【００２８】
また、ドア８及び欄間パネル２を閉じると、欄間パネル２とドア８との間の隙間が弾性材９によって閉塞されるので、密閉性及び遮光性に優れる。また、弾性材９ように軟質な材料であれば、弾性材９によってドア８を傷つけることもない。
【００２９】
また、１つの枠体３にドア８と欄間パネル２を取り付けているので、施行コストを削減することができる。
【００３０】
また、ドア８と欄間パネル２との間が横棧材等によって仕切られていないため、ドア８と欄間パネル２の一体感が得られ、デザイン性が向上する。
【００３１】
また、支持片２０、支持片２２及びアーム材２４が欄間パネル２と枠体３との間に組み付けられて露出していないから、美観を損ねない。
【００３２】
なお、本発明は、上記実施の形態に限定されることなく、本発明の趣旨を逸脱しない範囲で種々の改良並びに設計の変更を行っても良い。
【００３３】
例えば、上記実施形態では、欄間パネル２が９０度開いて水平になった状態を前倒状態としたが、欄間パネル２が最大に開いた前倒状態は９０度に限定されない。但し、欄間パネル２が９０度以上開くと、欄間パネル２がドア８に当たるので、欄間パネル２が最大に開く角度はゼロ度を越え９０度以下であるのが望ましい。
【００３４】
また、上記実施形態では、ガイド穴２１が形成された支持片２０と、摺動ピン２３がと凸設された支持片２２と、支持片２０と支持片２２との間を連結したアーム材２４とによって金具が構成され、支持片２０を枠体３に取り付け、支持片２２を欄間パネル２に取り付けていた。このような金具とはせず、摺動ピン２３を直接欄間パネル２の横側面に凸設させ、ガイド穴２１を直接枠体３に形成し、アーム材２４の一端を枠体３に直接連結し、アーム材２４の他端を欄間パネル２に直接連結しても良い。
【図面の簡単な説明】
【００３５】
【図１】ドア一体型欄間構造１の正面図である。
【図２】欄間パネル２が閉じた状態において図１の切断線II−IIに沿った面の矢視断面図である。
【図３】欄間パネル２が開いた状態において図１の切断線II−IIに沿った面の矢視断面図である。
【符号の説明】
【００３６】
１  ドア一体型欄間構造
２  欄間パネル
３  枠体
９  弾性材
２１  ガイド穴
２３  摺動ピン
２４  アーム材
【図１】
2006283465.tif 000003
【図２】
2006283465.tif 000004
【図３】
2006283465.tif 000005